(57)【特許請求の範囲】
【請求項１】
外面を有する骨組織内に植え込まれるインプラント（１０、１１０）にして、
前記骨組織内に埋め込まれる末端部分（４２、１４２）と、前記骨組織の前記外面付近の位置に配置される基端部分と、中心軸線と、外面とを有する細長い本体（１２、１１２）であって、該細長い本体（１２、１１２）の前記中心軸線と直交する断面が非円形の断面を有する前記細長い本体（１２、１１２）と、
前記末端部分（４２、１４２）と前記基端部分との間にて前記細長い本体（１２、１１２）の前記外面上に配置されたねじ（１４、１１４）であって、該ねじは前記細長い本体（１２、１１２）の周りにて複数の旋回部を形成する前記ねじ（１４、１１４）とを備え、
前記非円形の断面が、複数の張出し部（１２ａ〜１２ｄ、１１１）と、複数の休止部（１２ｗ〜１２ｚ、１１３）とを有し、該複数の休止部の各々が、前記複数の張出し部の隣接する張出し部の間にて周方向に配置され、
前記複数の休止部（１２ｗ〜１２ｚ、１１３）の少なくとも１つが、前記断面にて見たとき、略曲線状である中央領域を有する、インプラント。
【請求項２】
外面を有する骨組織内に植え込まれるインプラント（１０、１１０）にして、
前記骨組織内に埋め込まれる末端部分（４２、１４２）と、前記骨組織の前記外面付近の位置に配置される基端部分と、中心軸線と、外面とを有する細長い本体（１２、１１２）であって、該細長い本体（１２、１１２）の前記中心軸線と直交する断面が非円形の断面を有する前記細長い本体（１２、１１２）と、
前記末端部分（４２、１４２）と前記基端部分との間にて前記細長い本体（１２、１１２）の前記外面上に配置されたねじ（１４、１１４）であって、該ねじは前記細長い本体（１２、１１２）の周りにて複数の旋回部を形成する前記ねじ（１４、１１４）とを備え、
前記非円形の断面が、複数の張出し部（１２ａ〜１２ｄ、１１１）と、複数の休止部（１２ｗ〜１２ｚ、１１３）とを有し、該複数の休止部の各々が、前記複数の張出し部の隣接する張出し部の間にて周方向に配置され、
前記複数の休止部（１２ｗ〜１２ｚ、１１３）の少なくとも１つが、前記断面にて見たとき、略平坦である中央領域を有する、インプラント。
【請求項３】
請求項１又は２に記載のインプラントにして、
前記ねじ（１４、１１４）が、前記中心軸線を横断するように測定した外径を有し、
該外径が、前記末端部分と基端部分との間の全軸方向距離の少なくとも一部の軸方向距離にわたって、略一定寸法である、インプラント。
【請求項４】
請求項１乃至３の何れかに記載のインプラントにして、
前記ねじ（１４、１１４）が、前記外径を画成する山頂を有し、
該山頂が平坦にされて、前記複数の張出し部付近の領域内にて軸方向に伸長する面を提供し且つ前記複数の休止部付近の領域内に一端縁がある、インプラント。
【請求項５】
請求項１乃至４の何れかに記載のインプラントにして、
前記複数の張出し部（１２ａ〜１２ｄ、１１１）及び休止部（１２ｗ〜１２ｚ、１１３）が、前記末端部において中心軸線に関して該張出し部及び休止部の半径方向寸法が縮小して、前記細長い本体がテーパ状になる、インプラント。
【請求項６】
請求項１乃至５の何れかに記載のインプラントにして、
前記複数の張出し部（１２ａ〜１２ｄ、１１１）及び休止部（１２ｗ〜１２ｚ、１１３）の各々の数が、前記横横断方向にて４つであり
、該４つの休止部（１２ｗ〜１２ｚ、１１３）の各々及び該４つの張出し部（１２ａ〜１２ｄ、１１１）の各々が前記中心軸線の周りで４５°の角度長さだけ伸長する、インプラント。
【請求項７】
請求項１乃至６の何れかに記載のインプラントにして、
前記ねじが、前記断面にて前記中心軸線から測定した可変の外径を有し、
該外径が、前記休止部（１２ｗ〜１２ｚ、１１３）に隣接する領域よりも前記張出し部（１２ａ〜１２ｄ、１１１）に隣接する前記領域にてより大きい、インプラント。
【請求項８】
請求項１又は２に記載のインプラントにして、
前記ねじが、前記中心軸線から測定したピッチ半径（Ｒ１〜Ｒ３）を有し、該ピッチ半径が前記中心軸線に関する前記周方向位置に依存する値を有する、インプラント。
【請求項９】
請求項８に記載のインプラントにして、
前記ピッチ半径（Ｒ１〜Ｒ３）の前記値が、前記ねじが１回転する間に前記周方向位置に関して周期的に変化する、インプラント。
【請求項１０】
請求項８又は９に記載のインプラントにして、
前記ピッチ半径（Ｒ１〜Ｒ３）が前記末端部分付近で小さくなる、インプラント。
【請求項１１】
請求項１に記載のインプラントにして、
前記ねじが、前記中心軸線に対して測定した外径を有し、
該外径が、前記ねじが１回転する間に前記前記中心軸線に対して周方向に変化して、取り付け時の摩擦を軽減する、インプラント。
【請求項１２】
請求項１に記載のインプラントにして、
前記ねじが、前記中心軸線に対して測定した内径を含み、
該内径が、前記ねじが１回転する間に前記中心軸線に関して周方向に変化して、取り付け時の摩擦を軽減する、インプラント。
【請求項１３】
請求項１に記載のインプラントにして、
前記ねじが、前記中心軸線に対して軸線方向に測定した幅を有し、
該ねじの幅が、前記ねじが１回転する間に前記前記中心軸線に関して周方向に変化して、取り付け時の摩擦を軽減する、インプラント。
【請求項１４】
請求項１乃至１３の何れかに記載のインプラントにして、
前記非円形の断面が、前記骨組織の成長を受け入れるための複数の領域を提供する、インプラント。
【請求項１５】
請求項１乃至１４の何れかに記載のインプラントにして、
前記細長い本体（１２、１１２）の前記末端部分（４２、１４２）がセルフ・タッピングねじ（４４、１４４）のねじ領域を含む、インプラント。
【請求項１６】
請求項１乃至１５の何れかに記載のインプラントにして、
前記細長い本体及び前記ねじにおける前記インプラントの前記表面に骨一体化を促進させるためのグリットブラスト処理が施される、インプラント。
【請求項１７】
請求項１乃至１５の何れかに記載のインプラントにして、
前記細長い本体及び前記ねじにおける前記インプラントの前記表面に骨一体化を促進させる酸エッチング処理が施される、インプラント。
【請求項１８】
骨組織内に取り付けられるインプラントであって、
少なくとも１つのねじ（１４、１１４）を含む細長い本体（１２、１１２）であって、該ねじ（１４、１１４）が該細長い本体の周りの複数の旋回部を形成する前記細長い本体（１２、１１２）を具備し、
前記ねじ（１４、１１４）が内径と外径とを有し、該内径のみが、又は該内径及び外径の両方が可変寸法を有し、該可変寸法が、２つのより大きな値の間の少なくとも１つのより小さい値を有する、インプラント。
【請求項１９】
請求項１８に記載のインプラントにして、
前記可変寸法により、複数の張出し部（１２ａ〜１２ｄ、１１１）及び休止部（１２ｗ〜１２ｚ、１１３）を画成する、インプラント。
【請求項２０】
請求項１８に記載のインプラントにして、
前記細長い本体が、セルフタッピング領域（４４、１４４）を伴う末端部分を含み、前記可変寸法が前記末端部分の外部にある、インプラント。
【請求項２１】
請求項２０に記載のインプラントにして、
前記内径及び外径は前記セルフタッピング領域（４４、１４４）において縮小する、インプラント。
【請求項２２】
請求項１８に記載のインプラントにして、
前記可変寸法が、略周期的である、インプラント。
【請求項２３】
請求項１８に記載のインプラントにして、
前記可変寸法は任意の値である、インプラント。
【請求項２４】
請求項１８に記載のインプラントにして、
前記内径は前記ねじの谷部に位置し、該谷部は前記骨組織の成長を受け入れるための凹部領域を含む、インプラント。
【発明の詳細な説明】
発明の分野
本発明は、ねじ式歯科用インプラントの改良、特に、そのねじ式歯科用インプラントの主本体と生体の顎骨に形成された穴の側壁との間にて、そのインプラントを上記穴内にねじ込むときに生じる摩擦を少なくすることに関する。
発明の背景
ねじ式歯科用インプラント、広く使用されており、多年に亙って公知である。これらは、２つの一般的な型式にて製造される。その第一の型式のものは、顎骨を予めタッピングすることなく、その顎骨に予め穿孔された穴内にねじ込むことができるセルフ・タッピング式インプラントである。第二の型式のものは、その骨を予めタッピングすることを必要とする非セルフ・タッピング式インプラントである。その何れの型式においても、そのインプラントは、その外面に形成された１つ以上の雄ねじに当接する略円筒状の主本体を有している。これらの雌ねじは、穴の壁に形成された対応する雄ねじと係合して、インプラントをその穴内にて最初に安定化させる。
一般に生ずる問題点は、インプラントと穴を画成する穴の壁との間における摩擦である。この摩擦は、インプラントが穴内に貫入する深さ、穴の径、穴の側部における骨の硬さに比例する。インプラントを穴内に挿入するために加えなければならないトルクは、その摩擦に比例する。大きいトルクであれば、インプラント、インプラントを穴内に入れるために使用される工具、及び骨に歪み力が加わる。更に、インプラントを挿入するために大きいトルクが必要とされる場合、インプラント、工具及び穴を損傷させる虞れが大きい。その結果、インプラントを生体の顎骨内に取り付けるのに必要なトルクを最小にするねじ式歯科用インプラントを設計することが常に必要とされている。
発明の概要
現在使用されているようなねじ式の歯科用インプラントの設計において、インプラントの主本体は略円筒状である。ねじの山及びねじ山の谷（トラフ）は、各々、主本体の円筒体軸線の周りにて同心状である各円筒体の軌道上に位置している。
本発明の主たる目的は、インプラントを顎骨の穴内に取り付け且つそのインプラントをその穴内の所定位置に固定するために必要とされるトルクを軽減する改良に係る歯科用インプラントを提供することである。
本発明のもう一つの目的は、インプラントと穴の側壁との間の摩擦を少なくすることにより、そのインプラントを取り付けるのに必要とされるトルクを軽減する改良に係るねじ式歯科用インプラントを提供することである。一つの関連する目的は、そのインプラントを取り付けるのに必要な時間及び労力を軽減することである。
本発明の更なる目的は、インプラントを取り付けた後に、そのインプラントを穴からねじを緩める傾向のある力に抵抗する改良に係るねじ式歯科用インプラントを提供することである。
本発明のその他の目的及び有利な点は、以下の説明及び添付図面から明らかになるであろう。
本発明によれば、顎骨に予め形成された穴の壁に対してインプラントを固着するためねじを形成した外面を有する略円筒状の本体を備える改良に係る歯科用インプラントを提供することにより、上記の目的が達成される。その本体の少なくとも１つの寸法上の特徴は、インプラントを取り付ける間、インプラントの本体と穴の壁との間に生じる全体的な摩擦接触を少なくし得るように、円筒体の軸線の周りにてその方位角位置に関して変化することである。また、この寸法上の特徴の変化は、正常な治癒過程にて穴の側壁の骨がインプラントの本体まで成長した後、穴内にて本体が回転するのに抵抗する働きもする。かかる寸法上の特徴の例は、次の通りである。
ａ）ねじ山の山頂の軌跡半径；
ｂ）ねじ山のトラフの軌跡半径；
ｃ）ねじ山の厚さ；
ｄ）ねじ山の面間の角度；
本発明の一つの実施の形態は、本発明に従って、単独にて又はその他の１つ以上のものと組み合わさって、上記及びその他の特徴を種々、採用することができる。その採用される改変例は、円筒体の軸線の周りにて周期的に、又は不規則であるようにすることができる。これは、同期化させ、又は、本体の一端から他端に向けて軸線に沿って進むとき、軸線に関して進み又は後退するようにすることができる。
全体として、本発明は、例えば、ねじ山の山頂又はトラフの一部は、半径が変化しない当初の円筒体上にある一方、特徴が等しいその他の部分がその円筒体内にあり、このため、その部分が穴の壁と殆ど接触せず、又は全く接触しない。この設計は２つの効果を有する。第一に、その穴の壁と接触するインプラント本体の面積を小さくすることにより、インプラントを取り付ける間におけるインプラントと穴との間の摩擦が軽減されることである。第二に、治癒する間に、骨が成長して、その不規則（円形でない）部分の周りにてインプラント本体に接触するようになった後、そのインプラント本体は、本発明による半径方向寸法の変化が生じない円筒状本体を有する典型的なインプラントの場合よりも骨内での回転にり抵抗することである。
同様の条件は、円筒体の軸線の周りにて方位角位置に関してねじの厚さを変化させることにも当て嵌まる。また、ねじ山の山頂の軌跡半径を変化させる一つの技術は、その半径の変化と同期化してねじの厚さを変化させ、１つの製造ステップにて二つの特徴を同時に採用し得るようにする効果もある。
本明細書に記載した本発明の一例としての実施の形態において、主本体は、円筒体の軸線の周りに等間隔に配置された４つの張出し部を有する非円形断面形状となるように改変されている。これらの張出し部は、円筒体の軸線に対して平行に整合され、インプラントは、テーパー付きの端部分を有し、このテーパー付きの端部分には、その張出し部と略一直線状に円筒体の軸線の周りにて等間隔に配置されたセルフ・タッピング刃部分が４つ設けられている。この実施の形態について、以下の添付図面に関して説明する。添付図面において、
図１は、本発明を具体化するインプラントの図である。
図２は、図１の線２−２に沿ったら旋状断面図である。
図３は、図２の線３−３に沿った長手方向半断面図である。
図４は、図２の線４−４に沿った長手方向半断面図である。
図５は、インプラントを製造するのに使用可能なねじ切り工具の図である。
図６は、本発明の一つの特徴を示す概略図である。
図７は、本発明により達成される低トルクを示すグラフである。
図８は、本発明の一つの代替的な実施の形態を具体化することのできるもう１つのインプラントの図である。
図９は、本発明を具体化するインプラントの部分図である。
図１０は、垂直方向に隣接する３つのねじ山の展開図である。
図１１は、図８の線１１−１１に沿ったら旋状断面図である。
図１２は、図１１の線１２−１２に沿った長手方向半断面図である。
図１３は、図１１の線１３−１３に沿った長手方向半断面図である。
図１４は、図１１の線１４−１４に沿った長手方向半断面図である。
図１５は、インプラントを製造するのに使用可能なねじ切り工具の図である。
図１６は、本発明の一つの特徴を示す概略図である。
図１７は、１つの代替的なねじ切り工具を示す図である。
図面の詳細な説明
図１には、本発明の設計を具体化するインプラント１０が図示されている。このインプラント１０は、雄ねじ１４が形成された主本体１２を備えている。断面線２−２は、隣接する２つのねじ山１４の間のトラフに沿って見たときのら旋状断面線である。この断面図は図２に図示されている。
図２において、インプラント１０の主本体１２は、長手方向軸線Ａ−Ａに対して横方向に見たとき非円形の形状を有し（図２）、雄ねじ１４は円筒状軌跡１６内に山頂径を有する。この非円形の形状は、軸線Ａ−Ａに沿って左右対称に配置された４つの張出し部１２ａ、１２ｂ、１２ｃ、１２ｄを有する。この非円形の形状は、菱形又は偏菱形を含む各種の形状とすることができる。これらの張出し部の１つである１２ａは、図３に示すように、主本体１２に形成されたねじ山１４のトラフを画成する。これらの張出し部の間には、主本体１２の４つの休止領域１２ｗ、１２ｘ、１２ｙ、１２ｚ（等間隔に配置されている）がある。こうした休止領域の１つの中間点（図２の線４−４の上に位置する）は、図４に図示するように、ねじ山１４のトラフを画成する。図４の休止領域１２ｗにより画成されたトラフは、図３にて張出し部１２ａにより画成されるトラフよりも深さが深い。主本体１２におけるねじ山１４の山頂径は図３及び図４の双方におけるものと同一である。ねじ山１４は図３に示した張出し部領域１２ａにおけるよりも図４に示した休止領域１２ｗにてより深く切り、その何れの位置にても山頂径が変化しないようにする。
ねじ山１４は、図５に図示する工具３０のような工具を使用して切ることができ、この工具は、交互に現れる張出し部及び休止領域を形成し得るように周期的なパターンに従って旋盤にて旋削するとき、主本体１２内に押し込むことのできる形状を有する。この工具３０を休止領域を形成するのに十分に主本体１２内に押し込んだとき、１つの張出し部を形成し得るよう、その工具をより浅い深さにて押し込んだときに形成されるねじ山の形状と比べて、ピッチ径の大きい領域１８にて、ねじ山１４はより薄く形成される。その結果、図３に図示したねじ山１４のピッチ径１８は、図４に図示したより深いねじ山のピッチ径２０よりも大きくなる。
図示した歯科用インプラント１０は、テーパー付きの端部分４０を有し、この端部分において、ねじ山１４ｂの山頂及びトラフの双方が主本体１２の末端４２に向けてそれぞれの略円錐形の軌跡上にてテーパーが付けられる。このテーパー付きの端部分４０には、軌跡Ａ−Ａの周りにて左右対称に配置された４つのセルフ・タッピング・カッティング手段が取り付けられている。その内の１つのカッティング手段４４のみが図３に図示されている。図３にて明らかであるように、そのカッティング手段の各々は、それぞれ張出し部１２ａ乃至１２ｄの１つと整合されており、このため、より大きいピッチ径を有する。この関係は図６に概略図的に図示されている。
図７には、本発明により得られる有利な点がグラフ形式にて図示されている。破線（１）は、試験治具内にねじ込まれるため、本発明を構成しない、直径6.0ｍｍのインプラントのトルクを示す。このトルクは、約60Ｎ×ｃｍに達する。より濃い実線（２）は、図１乃至図６に図示した本発明を利用する、直径6.0ｍｍのインプラントである。その最大トルクは、破線（１）よりも著しく小さい約40Ｎ×ｃｍである。薄い実線（３）は、本発明の設計を構成しない、直径3.75ｍｍのより小さいインプラントに必要とされるトルクである。理解し得るように、本発明を構成する、直径6.0ｍｍのインプラントの最大トルクは、遥かにより小さい直径3.75ｍｍのインプラントに必要とされるトルクと同様である。更に、より濃い線（２）のトルクが増大する速度は漸進的であり、取り付けをより容易にする。
図７に関する更なる事項は、インプラントを試験治具内に機械でねじ込むための最大トルクは約60Ｎ×ｃｍに設定したことである。破線（１）で示した本発明によらないこの直径6.0ｍｍのインプラントは、このトルクの制限値のため、試験治具内に完全にねじ込むことはできなかった。その結果、破線（１）が急速に下降することは、機械がそのトルク限界値に達したときを示す。より濃い実線（２）が下降することは、完全に挿入したときを示す。直径6.0ｍｍの２つの試料にてインチ当たりのねじ山数は等しいから、直径6.0ｍｍの２つの試料が所定の完全に取り付けたときに達する時点は、各試験における、機械の分当たりの回転数が等しいから、同一となるはずである。このように、実線（２）は、破線（１）の約２倍の時間のときに下降するから、本発明によらないインプラントは、試験治具内に所定の取り付け深さの約１/２しか挿入できなかった。
図８には、本発明の設計の一つの代替的な実施の形態を具体化する典型的なインプラント１１０′が図示されている。このインプラント１１０′は、雄ねじ１１４′を有する主本体１１２′を備えている。図９には、インプラント１１０のねじ１１４に関する、本発明の代替的な実施の形態の詳細が図示されている。図９に示したインプラント１１０′の頂部分は、図８に示したインプラント１１０の頂部分と僅かに異なる形態を有する。図１乃至図７に示した実施の形態と同様に、本発明のこの代替的な実施の形態は、ねじ１１４に関するものであり、その頂部の形態に関係なく、任意のインプラントにて具体化することができる。図９に示した断面線１１−１１は、インプラント１１０に沿って上方にら旋状に上昇するとき、隣接する２つのねじ１１４間のトラフに沿って見たときのら旋断面である。この断面図は図１１に示してある。
図９及び図１１において、インプラント１１０の主本体１１２は、長手方向軸線Ａ−Ａに対して横断方向に見たとき、非円形の形状を有し、雄ねじ１１４は、円筒体軌跡１１６内に外径を有する。４つの張出し部１１１が軸線Ａ−Ａの周りにて左右対称に配置され、山頂の内径１１１ａ、１１１ｂ、１１１ｃ、１１１ｄが軌跡１１７に沿って伸長している。張出し部１１１の間には、主本体１１２の４つの休止領域１１３（等間隔に配置されている）がある。降下領域１１５は、各山頂の内径１１１ａ乃至１１１ｄと隣接する各休止領域１１３との間に配置されている。休止領域１１３内にて、直径「Ｄ」は、インプラント１１０の本体１１２と骨の組織表面との間の間隔を示す。
本発明の図面をより分かり易くするため、図１０には、インプラント１１０から展開させた垂直方向に隣接する３つのねじ山１１４と、その間のトラフとが図示されている。この山頂の内径１１１ａは、その一側部に降下領域１１５がある状態にて示されている。休止領域１１３は、降下領域１１５に隣接する位置に示されている。ねじ山１１４の外径は、休止領域１１３付近にて領域１１９ａの端縁上に位置している。降下領域１１５及び張出し部１１１の山頂の内径付近にて、ねじ山１１４の内径は、表面１１９ｂ上に位置している。表面１１９ａの形状は、降下領域１１５及び張出し部１１１の構造及び深さに依存する。
図１１の角度Ｘ、Ｚは、降下領域１１５がその上方にて生じる角度位置を示し、角度Ｙよりも全体として小さい。一つの実施の形態において、角度Ｘ、Ｚは等しい値である。一つの好適な実施の形態において、角度Ｘ、Ｚは約22.5°である一方、角度Ｙは、約45°であり、角度Ｘ、Ｙ、Ｚの合計値は約90°となる。３つの張出し部のみを採用し、張出し部を左右対称に隔たった位置に配置するならば、角度Ｘ、Ｙ、Ｚの合計値は、約120°となる。
図１２、図１３、図１４には、それぞれ図１１における線１２−１２、１３−１３、１４−１４に沿った断面図が示されている。図１４にて休止領域１１３により画成されたトラフは、図１２にて張出し部１１１ｃにより画成されるトラフよりも深い。降下領域１１５（図１３）内に画成されたトラフは、張出し部１１１ｃのトラフの深さと休止領域１１３との中間の深さを有する。円筒状軌跡１１６に沿ったねじ山１１４の山頂径は、図１２、図１３、図１４におけると同一である。このように、図１２に示した張出し部１１１ｃの領域にて切られるよりも、又は図１３の降下領域１１５にて切られるよりも、図１４に示した休止領域１１３の方にてねじ山１１４はより深く切られるが、ねじ山１１４の外径は異ならない。
ねじ山１１４は、図１５に示した工具１３０のような工具にて切ることができ、この工具は、交互に現れる張出し部１１１、降下領域１１５及び休止領域１１３を形成し得るように、周期的なパターンに従って、旋盤にて旋削するとき、主本体１１２内に押し込み得るような形状を有する。この工具１３０を休止領域１１３を形成するのに十分主本体１１２内に押し込むと、工具１３０を張出し部１１１を形成し得るように僅かな距離だけ押し込んだときよりもその外径付近にてねじ山１１４はより薄く形成される。その結果、図１２、図１３及び図１４に図示したねじ山１１４のピッチ径１１８、１２０、１２２（及びピッチ半径）は漸進的により小さくなる。このため、ピッチ半径Ｒ１（図１２）は、ピッチ半径Ｒ２（図１３）よりも大きくなり、また、このピッチ半径Ｒ３は、ピッチ半径（図１４）よりも大きくなる。
図示した歯科用インプラント１１０′は、テーパー付きの端部分１４０（図８）を有しており、ねじ山の山頂及びトラフの双方は、主本体１１２′の末端１４２（図８）に向けてそれぞれの略円錐形の軌跡上にてテーパーが付けられる。このテーパー付きの端部分１４０には、軸線Ａ−Ａの周りで左右対称に配置された４つのセルフ・タッピング・カッティング手段が取り付けられており、そのカッティング手段の１つ、１４４のみが図１６に示してある。セルフ・タッピング・カッティング手段と張出し部１１１との関係を概略図的に示す図１６から明らかであるように、カッティング手段の各々は、張出し部１１１の１つと整合されており、このため、より大きいピッチ径を有する。しかしながら、張出し部１１１は、セルフ・タッピング・カッティング手段から非整合状態となる可能性がある。
図８乃至図１６に図示した実施の形態から各種の代替例が可能である。例えば、角度Ｘ、Ｙ、Ｚは、約90°の合計角度を有するとして示してある。しかしながら、隣接する張出し部１１１の間の角度位置を設定するこうした角度の合計値は、90°以上又は90°以下とすることが可能である。このように、インプラント１１０を側方向から見たとき、張出し部１１１は、ねじ山１１４がら旋状になる方向と同一方向に向けてら旋状になり、また、ねじ山１１４がら旋状になる方向と反対方向にら旋状になるようにすることができる。角度Ｘ、Ｙ、Ｚの合計値を示す角度が90°以上又は90°以下になると、張出し部１１１のら旋状の程度もより顕著なものとなる。
また、ねじ山１１４の外径は同様に休止領域１１３にて凹むように形成することができる。これは、図１４に図示したインプラント１１０の軸線Ａ−Ａに向けて工具を更に挿入することにより行われる。このため、ねじ山１１４の外径の円筒状軌跡１１６（図１１）は非円筒状軌跡に変化する。
垂直方向に隣接する２つのねじ山の間にてトラフを形成するために使用される工具は、また図１７の丸味を付けた工具１６０のように丸味を付けることができる。このように、図１２乃至図１４において、垂直方向に隣接する２つのねじ山の間の領域は、図１２乃至図１４に示したねじ山１１４の平坦な側部ではなくて、ねじ山の丸味を付けた側部により画成することが可能である。垂直方向に隣接するねじ山の間のこうした側部に丸味を付けることにより、骨組織が付着する全体的な表面積が増大する。更に、工具は、オフセット・カッティング領域を有し、これにより、トラフを形成する垂直方向に隣接するねじ山の反対側部ではなくて、ねじの一側部付近にて張出し部を異なる周方向位置に切ることができる。
更に、張出し部１１１は、インプラント１１０の部分にのみ配置することができる、即ち、休止領域１１３内にて距離「Ｄ」により画成される逃がし程度を少なくすることができる。例えば、顎骨内に挿入される歯科用インプラントとしてインプラント１１０が使用される場合、インプラント１１０の一部は、皮質骨のより稠密な骨組織内に配置される。より稠密な骨はより遅い速度にて成長する。このため、骨組織は、図１１にて距離「Ｄ」だけインプラント１１０に向けて成長しなければならないため、皮質骨に隣接する領域にて距離「Ｄ」を短くし、その稠密な骨領域内にて完全に骨一体化させるのに必要な時間が短くなるようにすることが適当である。より稠密な皮質骨の領域に逃がし部分が全く存在しない（「Ｄ」＝０）とすることも望ましい。しかしながら、皮質骨の先にある稠密でない海綿状骨において、距離「Ｄ」は、海綿状骨が成長可能な許容し得る距離である。
更に、本発明を具体化するインプラント１１０は、酸エッチング及び／又はグリットブラスト処理によりその表面を処理することができる。
【図１】
0003881025.tif 000002
【図２】
0003881025.tif 000003
【図３】
0003881025.tif 000004
【図４】
0003881025.tif 000005
【図５】
0003881025.tif 000006
【図６】
0003881025.tif 000007
【図７】
0003881025.tif 000008
【図８】
0003881025.tif 000009
【図９】
0003881025.tif 000010
【図１０】
0003881025.tif 000011
【図１１】
0003881025.tif 000012
【図１２】
0003881025.tif 000013
【図１３】
0003881025.tif 000014
【図１４】
0003881025.tif 000015
【図１５】
0003881025.tif 000016
【図１６】
0003881025.tif 000017
【図１７】
0003881025.tif 000018